(57)【要約】【課題】システムを運用するための労力やコストの軽減を可能にすると共に広告効果を高める。【解決手段】本発明の銘柄情報提供システムは、一のブログに銘柄情報を銘柄毎に生成し表示する銘柄情報生成手段５と、銘柄情報生成手段５により生成し表示された銘柄情報に隣接させてその銘柄に関連する広告を生成し表示する広告生成手段６と、銘柄情報生成手段５により表示された特定の銘柄情報がユーザにより選択操作されると該特定の銘柄情報をコピーする銘柄情報コピー手段７と、銘柄情報コピー手段７により特定の銘柄情報がコピーされると広告生成手段６により表示された前記銘柄に関連する広告を同時にコピーする広告コピー手段８と、前記特定の銘柄情報及び前記広告を他のブログに貼り付けるコピー情報貼り付け手段１０とを備えていることを特徴とする。【選択図】図３
2008077525.tif 000002
【特許請求の範囲】
【請求項１】
複数のブログを利用して銘柄情報を提供する銘柄情報提供システムであって、
一のブログに銘柄情報を銘柄毎に生成し表示する銘柄情報生成手段と、
該銘柄情報生成手段により生成し表示された銘柄情報に隣接させてその銘柄に関連する広告を生成し表示する広告生成手段と、
前記銘柄情報生成手段により表示された特定の銘柄情報がユーザにより選択操作されると、該特定の銘柄情報をコピーする銘柄情報コピー手段と、
該銘柄情報コピー手段により特定の銘柄情報がコピーされると、前記広告生成手段により表示された前記銘柄に関連する広告を同時にコピーする広告コピー手段と、
前記銘柄情報コピー手段によりコピーされた特定の銘柄情報及び前記広告コピー手段によりコピーされた広告を他のブログに貼り付けるコピー情報貼り付け手段と、
を備えていることを特徴とする銘柄情報提供システム。
【請求項２】
前記銘柄情報生成手段は、ユーザにより入力された銘柄の株価、銘柄の分類、及び銘柄の評価に従って銘柄情報を生成し表示する請求項１に記載の銘柄情報提供システム。
【請求項３】
前記他のブログが株関連の所定のキーワードを含んでいるかどうかを検索し、該キーワードを含んでいる場合に、前記銘柄情報コピー手段によりコピーされた特定の銘柄情報及び前記広告コピー手段によりコピーされた広告を前記他のブログへ貼り付けることを許可するブログ判定手段をさらに備えている請求項１又は２に記載の銘柄情報提供システム。
【請求項４】
前記コピー情報貼り付け手段により前記他のブログに貼り付けられた広告がクリックされた回数に応じて前記他のブログの管理者の報酬額を算定する広告報酬算定手段をさらに備えている請求項１〜３のいずれか１の請求項に記載の銘柄情報提供システム。
【請求項５】
複数のブログを利用して銘柄情報を提供する銘柄情報提供方法であって、
一のブログに銘柄情報を銘柄毎に生成し表示するステップと、
前記一のブログに表示された銘柄情報に隣接させてその銘柄に関連する広告を生成し表示するステップと、
前記一のブログに表示された特定の銘柄情報がユーザにより選択操作されると、該特定の銘柄情報をコピーするステップと、
該特定の銘柄情報がコピーされると、前記一のブログに表示された前記銘柄に関連する広告を同時にコピーするステップと、
前記コピーされた特定の銘柄情報及び広告を他のブログに貼り付けるステップと、
を備えていることを特徴とする銘柄情報提供方法。
【請求項６】
前記銘柄情報には、ユーザにより入力された銘柄の株価、銘柄の分類、及び銘柄の評価が含まれている請求項５に記載の銘柄情報提供方法。
【請求項７】
前記他のブログが株関連の所定のキーワードを含んでいるかどうかを検索し、該キーワードを含んでいる場合に、前記コピーされた特定の銘柄情報及び広告の前記他のブログへの貼り付けを許可するステップをさらに備えている請求項５又は６に記載の銘柄情報提供方法。
【請求項８】
前記他のブログに貼り付けられた広告がクリックされた回数に応じて前記他のブログの管理者の報酬額を算定するステップをさらに備えている請求項５〜７のいずれか１の請求項に記載の銘柄情報提供方法。
【請求項９】
請求項５〜８のいずれか１の請求項に記載の各ステップをコンピュータに実行させるための銘柄情報提供プログラム。
【発明の詳細な説明】
【技術分野】
【０００１】
本発明は、複数のブログを利用して銘柄情報を提供する銘柄情報提供システム及びその方法並びにそのプログラムに関するものである。
【背景技術】
【０００２】
近年、インターネットに代表される情報通信ネットワークの急速な発展に伴い、ネットワーク上において株式の銘柄に関する情報の提供が広く行われるようになっている。
【０００３】
従来のこの種の銘柄情報提供システムとしては、例えは、ポータルサイト上において、マーケット情報や株式の銘柄情報、及び株関連の広告等を提供するシステムが知られている（例えば、非特許文献１参照）。
【非特許文献１】Yahoo！ファイナンス〈URL：http://quote.yahoo.co.jp/〉
【発明の開示】
【発明が解決しようとする課題】
【０００４】
しかしながら、上記した従来の銘柄情報提供システムでは、銘柄情報や広告が特定のポータルサイトに掲載されるようになっているため、ユーザはそのポータルサイトにアクセスしない限り、銘柄情報を入手したり、広告を見たりすることができない。したがって、ポータルサイトの管理者はそのポータルサイトにトラフィックを集めるように手段を講じる必要があり、その作業に手間が掛かると共にシステムの運用コストが嵩むといった問題があった。一方、広告主としては、一定の広告効果を得るために、幾つものポータルサイトに広告を出す必要があり、労力及び費用が掛かるといった問題があった。
【０００５】
また、上記した銘柄情報提供システムでは、ポータルサイトの管理者がそのポータルサイトに掲載する銘柄情報を作成したり、更新したりする必要があるため、その作業に手間が掛かり、費用の低減化が図り難いといった問題もあった。
【０００６】
本発明は、上記した課題を解決すべくなされたものであり、システムを運用するための労力やコストの軽減を可能にすると共に広告効果を高めることのできる銘柄情報提供システム及びその方法並びにそのプログラムを提供することを目的とするものである。
【課題を解決するための手段】
【０００７】
上記した目的を達成するため、本発明に係る複数のブログを利用して銘柄情報を提供する銘柄情報提供システムであって、一のブログに銘柄情報を銘柄毎に生成し表示する銘柄情報生成手段と、該銘柄情報生成手段により生成し表示された銘柄情報に隣接させてその銘柄に関連する広告を生成し表示する広告生成手段と、前記銘柄情報生成手段により表示された特定の銘柄情報がユーザにより選択操作されると、該特定の銘柄情報をコピーする銘柄情報コピー手段と、該銘柄情報コピー手段により特定の銘柄情報がコピーされると、前記広告生成手段により表示された前記銘柄に関連する広告を同時にコピーする広告コピー手段と、前記銘柄情報コピー手段によりコピーされた特定の銘柄情報及び前記広告コピー手段によりコピーされた広告を他のブログに貼り付けるコピー情報貼り付け手段と、
を備えていることを特徴とする。
【０００８】
そして、前記銘柄情報生成手段は、ユーザにより入力された銘柄の株価、銘柄の分類、及び銘柄の評価に従って銘柄情報を生成し表示してもよい。
【０００９】
また、前記他のブログが株関連の所定のキーワードを含んでいるかどうかを検索し、該キーワードを含んでいる場合に、前記銘柄情報コピー手段によりコピーされた特定の銘柄情報及び前記広告コピー手段によりコピーされた広告を前記他のブログへ貼り付けることを許可するブログ判定手段をさらに備えていてもよい。
【００１０】
さらに、前記コピー情報貼り付け手段により前記他のブログに貼り付けられた広告がクリックされた回数に応じて前記他のブログの管理者の報酬額を算定する広告報酬算定手段をさらに備えていてもよい。
【００１１】
また、本発明は、複数のブログを利用して銘柄情報を提供する銘柄情報提供方法であって、一のブログに銘柄情報を銘柄毎に生成し表示するステップと、前記一のブログに表示された銘柄情報に隣接させてその銘柄に関連する広告を生成し表示するステップと、前記一のブログに表示された特定の銘柄情報がユーザにより選択操作されると、該特定の銘柄情報をコピーするステップと、該特定の銘柄情報がコピーされると、前記一のブログに表示された前記銘柄に関連する広告を同時にコピーするステップと、前記コピーされた特定の銘柄情報及び広告を他のブログに貼り付けるステップとを備えていることを特徴とする。
【００１２】
そして、前記銘柄情報には、ユーザにより入力された銘柄の株価、銘柄の分類、及び銘柄の評価が含まれていてもよい。
【００１３】
また、前記他のブログが株関連の所定のキーワードを含んでいるかどうかを検索し、該キーワードを含んでいる場合に、前記コピーされた特定の銘柄情報及び広告の前記他のブログへの貼り付けを許可するステップをさらに備えていてもよい。
【００１４】
さらに、前記他のブログに貼り付けられた広告がクリックされた回数に応じて前記他のブログの管理者の報酬額を算定するステップをさらに備えていてもよい。
【００１５】
さらに、本発明は、上記した各ステップをコンピュータに実行させるための銘柄情報提供プログラムである。
【発明の効果】
【００１６】
本発明によれば、銘柄情報と広告が一のブログから他のブログに同時に貼り付けられて分散されることにより、一のブログにトラフィックを集めなくても、複数のブログによるクチコミ効果により銘柄情報や広告が多くのユーザの目に留まるようになるため、一のブログの管理の手間が軽減され、システムの運用コストの低減化を図ることができる。
【００１７】
また、広告主としても、一定の広告効果を得るために、幾つものポータルサイトに広告を出す必要がなくなり、労力及び費用の軽減を図ることができる。
【００１８】
さらに、一のブログの管理者がそのブログに掲載する銘柄情報を作成したり、更新したりする必要がないため、その作業の省力化を図ることができ、費用の低減化が可能となる。
【発明を実施するための最良の形態】
【００１９】
以下、図面を参照しつつ、本発明の実施の形態について説明する。ここで、図１は、本発明の実施の形態に係る銘柄情報提供システムの全体構成を示す概略図である。
【００２０】
本実施の形態に係る銘柄情報提供システムは、ユーザである個人投資家やブログ管理者等のユーザ端末１と、広告主である企業等の広告主サーバ２と、本システムを総合的に管理する管理サーバ３とが、それぞれインターネット等の通信ネットワーク４を介して相互に接続されて構成されている。
【００２１】
管理サーバ３は、ポータルサイトのブログにユーザの個人投資家により入力された銘柄の株価、銘柄の分類、及び銘柄の評価等の情報に従って銘柄情報を銘柄毎に生成し表示する銘柄情報生成部５と、この銘柄情報生成部５により生成し表示された銘柄情報に隣接させてその銘柄に関連する広告を生成し表示する広告生成部６と、銘柄情報生成部５により表示された特定の銘柄情報がユーザのブログ管理者により選択操作されると該特定の銘柄情報をコピーする銘柄情報コピー部７と、この銘柄情報コピー部７により特定の銘柄情報がコピーされると広告生成部６により表示された前記銘柄に関連する広告を同時にコピーする広告コピー部８と、ユーザのブログ管理者のブログが株関連の所定のキーワードを含んでいるかどうかを検索し、該キーワードを含んでいる場合に前記特定の銘柄情報及び広告を前記ユーザのブログ管理者のブログへ貼り付けることを許可するブログ判定部９と、前記特定の銘柄情報及び広告を前記ユーザのブログ管理者のブログに貼り付けるコピー情報貼り付け部１０と、このコピー情報貼り付け部１０により前記ユーザのブログ管理者のブログに貼り付けられた広告がクリックされた回数に応じて前記ブログ管理者の報酬額を算定する広告報酬算定部１１と、前記銘柄情報を格納する銘柄情報格納部１２と、前記広告に関する情報を格納する広告格納部１３とを備えて構成されている。
【００２２】
次に、図１及び図２〜図４を参照しつつ、本実施の形態に係る銘柄情報提供システムにおける処理手順について説明する。ここで、図２は本実施の形態に係る銘柄情報提供システムにおける処理手順を示すフローチャート、図３は同銘柄情報提供システムにおける処理手順を示す概念図、図４は同銘柄情報提供システムにおいてポータルサイトのブログに表示される銘柄情報の画面を示す図である。
【００２３】
先ず、ユーザ端末１からユーザがＩＤやパスワード等の所定の認証データを入力し、通信ネットワーク４を介してポータルサイトにアクセスしようとすると（Ｓ１０１）、管理サーバ３は、この認証データを予め登録されている前記ユーザの認証データと照合し、認証処理を行う（Ｓ１０２）。この結果、前記ユーザの認証が行われた場合には、管理サーバ３はユーザ端末１に銘柄情報に関する入力画面データを送信し、ユーザ端末１に、この入力画面を表示する（Ｓ１０３）。一方、前記ステップ１０２において、前記ユーザの認証ができなかった場合には、管理サーバ３は、再度、前記ユーザに認証データの入力を促す。
【００２４】
そして、前記認証されたユーザが、前記銘柄情報の入力画面により、株式の銘柄と共に、該銘柄のその時の株価、該銘柄の分類、及び銘柄の評価等を入力すると、このユーザにより入力されたこれらの情報に従って、銘柄情報生成部５は、銘柄情報を生成すると共に銘柄情報格納部１２に格納し、該銘柄情報を前記ポータルサイトのブログに表示する（Ｓ１０４）。この時、例えば、図４に示されているように、銘柄の評価が星の数による５段階評価によって表示され、銘柄の下方に銘柄のその時の株価がその後の変動幅の割合と共に表示され、さらにその下方に銘柄の分類がタグとして表示される。なお、この時の銘柄の分類は、ユーザが任意に設定することができ、例えば、自動車、情報・通信、食品、スーパー等の業種の他、パソコン、ゲーム機、デジタルカメラ等の製品や、住宅ローン、レストラン、宅配等のサービス、或いは米国、ドイツ、中国、韓国等の国名等であってよい。
【００２５】
一方、広告主サーバ２から広告主がＩＤやパスワード等の所定の認証データを入力し、通信ネットワーク４を介してポータルサイトにアクセスしようとすると（Ｓ１０５）、上記したユーザの場合と同様に、管理サーバ３は、認証処理を行い（Ｓ１０２）、前記広告主の認証が行われると、広告サーバ３に広告の入力画面データを送信し、広告サーバ３にこの入力画面を表示する（Ｓ１０６）。
【００２６】
そして、前記認証された広告主が前記広告の入力画面により、広告に関する情報を入力すると、広告生成部６は、その広告を生成すると共に広告格納部１３に格納し、該広告を前記ポータルサイトのブログに表示された前記広告主の銘柄情報に隣接させて（図４では下方に）表示する（Ｓ１０７）。
【００２７】
次いで、上記した認証手順により認証されたユーザがポータルサイトにアクセスし、そのブログに表示された特定の銘柄情報を選択操作すると（Ｓ１０８）、銘柄情報コピー部７は、該特定の銘柄情報をコピーする（Ｓ１０９）。さらに、このようにして銘柄情報コピー部７が前記特定の銘柄情報をコピーすると、広告コピー部８は、該銘柄に隣接して表示されている広告を同時にコピーする（Ｓ１１０）。
【００２８】
次いで、前記ユーザが管理するブログに、前記コピーされた銘柄情報及び広告を貼り付けようとすると、ブログ判定部９は、前記ユーザが管理するブログが、例えば、株式、銘柄、マーケット、投資、株価、証券等の株関連の所定のキーワードを含んでいるかどうかを検索する（Ｓ１１１）。その結果、ブログ判定部９は、前記ブログが該キーワードを含んでいると判断した場合には、前記コピーされた特定の銘柄情報及び広告を前記ユーザが管理するブログへ貼り付けることを許可し、コピー情報貼り付け部１０は前記特定の銘柄情報及び広告を前記ブログに貼り付ける（Ｓ１１２）。
【００２９】
その後、前記ユーザが管理するブログにアクセスした他のユーザによって該ブログに貼り付けられた広告がクリックされる度に、広告報酬算定部１１は、クリック回数を計測し、該クリック回数に応じて前記ブログの管理者の報酬額を算定する（Ｓ１１３）。
【００３０】
このように上記した実施の形態に係る銘柄情報提供システム及びその方法によれば、銘柄情報と広告がポータルサイトからユーザが管理するブログに同時に貼り付けられて分散されることにより、ポータルサイトの管理者がそのポータルサイトにトラフィックを集めなくても、ブログによるクチコミ効果により銘柄情報や広告が多くのユーザの目に留まるようになるため、管理の手間が軽減され、システムの運用コストの低減化を図ることができる。また、広告主としても、一定の広告効果を得るために、幾つものポータルサイトに広告を出す必要がなくなり、労力及び費用の軽減を図ることができる。さらに、ポータルサイトの管理者がそのポータルサイトに掲載する銘柄情報を作成したり、更新したりする必要がないため、その作業の省力化を図ることができ、費用の低減化が可能となる。
【００３１】
さらにまた、ユーザが任意に設定できる銘柄を分類するタグを表示することにより、企業の個別の事業に関連する別の企業を結びつけ、銘柄同士のつながり（協業、提携関係や競合関係）の可視化を図ることができる。また、業種の分類にこだわらない横断的な検索が可能となるため、個人投資家に対して銘柄の相対評価の手段を提供し、情報の価値や有益性の判断に有用な情報を効率的に提供することができる。一方、企業側に対しては、個人投資家へのアピールをすることにより、株価の下支えとなる存在を確保することできると共に、企業のブランド価値を高めることできる。また、企業と個人投資家を結びつけ、企業の認知度を高め、ＩＲ活動に貢献することできる。
【図面の簡単な説明】
【００３２】
【図１】本発明の実施の形態に係る銘柄情報提供システムの全体構成を示す概略図である。
【図２】本発明の実施の形態に係る銘柄情報提供システムにおける処理手順を示すフローチャートである。
【図３】本発明の実施の形態に係る銘柄情報提供システムにおける処理手順を示す概念図である。
【図４】本発明の実施の形態に係る銘柄情報提供システムにおいてポータルサイトのブログに表示される銘柄情報の画面を示す図である。
【符号の説明】
【００３３】
５          銘柄情報生成部
６          広告生成部
７          銘柄情報コピー部
８          広告コピー部
９          ブログ判定部
１０        コピー情報貼り付け部
１１        広告報酬算定部
【図１】
2008077525.tif 000003
【図２】
2008077525.tif 000004
【図３】
2008077525.tif 000005
【図４】
2008077525.tif 000006